(57)【要約】【課題】耐久性に優れ、腕時計装着時のフィット感に優れた腕時計用バンドを提供する。【解決手段】伸縮部材で形成された第１及び第２のバンド部と、この第１及び第２のバンド部を連結する非伸縮部材で形成された連結部を有し、この連結部に設けられた長さ調節手段により腕時計用バンドの全体の長さを調節する構成とされ、第１及び第２のバンド部の夫々は、コイルバネで被覆された糸状の弾性繊維をコマの貫通孔に挿通し、コマを連結することにより形成されている。【選択図】図１
2012120682.tif 000002
【特許請求の範囲】
【請求項１】
伸縮部材で形成され、腕時計ケース（３）の一端側に一端部が取り付けられ前記腕時計ケースの他端側に他端部が取り付けられる腕時計用バンド（１Ａ）において、
該腕時計用バンドは貫通孔（１３１）が形成された複数のコマ（１３、１３Ａ、１３Ｂ）と、コイルバネ（１４）と、このコイルバネに挿通された糸状の弾性繊維（１５）とを具備し、前記糸状の弾性繊維が挿通されている前記コイルバネが前記コマの貫通孔に挿通されることにより前記複数のコマが連結されていることを特徴とする腕時計用バンド。
【請求項２】
腕時計ケース（３）の一端側に一端部が取り付けられる第１のバンド部（５）と前記腕時計ケースの他端側に一端部が取り付けられる第２のバンド部（６）と前記第１及び第２のバンド部（５、６）の他端部同士を連結する連結部（８、９）とを有し、前記第１及び第２のバンド部は伸縮部材で形成され、前記連結部は非伸縮部材で形成され、かつ、前記連結部には腕時計用バンドの全体の長さを調節する長さ調節手段が設けられている腕時計用バンドにおいて、
前記第１及び第２のバンド部は貫通孔（１３１）が形成された複数のコマ（１３、１３Ａ、１３Ｂ）と、コイルバネ（１４）と、このコイルバネに挿通された糸状の弾性繊維（１５）とを具備し、前記糸状の弾性繊維が挿通されている前記コイルバネが前記コマの貫通孔に挿通されることにより前記複数のコマが連結されていることを特徴とする腕時計用バンド。
【請求項３】
請求項１又は２に記載の腕時計用バンドおいて、
前記コマは前記貫通孔が２本並行に形成されていることを特徴とする腕時計用バンド。
【請求項４】
請求項１乃至３のいずれかに記載の腕時計用バンドおいて、
前記コマは長方体、球体、円柱体、半球体、半円柱体などの形状であることを特徴とする腕時計用バンド。
【請求項５】
請求項１乃至４のいずれかに記載の腕時計用バンドおいて、
前記コマはアレルギーを生じさせない材質であるトルマリン石、貴石、貴金属、象牙より形成されることを特徴とする腕時計用バンド。
【請求項６】
請求項２乃至５のいずれかに記載の腕時計用バンドおいて、
前記連結部（８、９）は前記第１のバンド部の他端部に連結された第１の連結部（８）と前記第２のバンド部（６）の他端部に連結された第２の連結部（９）よりなり、前記長さ調節手段は前記第１の連結部（８）の長手方向に沿って形成された複数の孔（８１）と、前記第２の連結部（９）に設けられ前記複数の孔のいずれかに係合させるための係合ピン（９４）よりなることを特徴とする腕時計用バンド。
【請求項７】
請求項２乃至６のいずれかに記載の腕時計用バンドおいて、
前記第１及び第２のバンド部の内の一方は他方よりも短く形成されていることを特徴とする腕時計用バンド。
【発明の詳細な説明】
【技術分野】
【０００１】
本発明は、腕時計用バンドに関する。
【背景技術】
【０００２】
腕時計用バンドは、一般的には、金属製、皮革製、合成樹脂製などが使われている。金属製のバンドは、金属製のコマをピンやバネなどを用いて連結した構成と成っている。また、皮革製バンドは、動物の皮を使ったものである。さらにまた、合成樹脂製は、合成樹脂で皮革などに似せて作ったものである。これらの腕時計用バンドの端を時計ケースにバネ棒で取り付けて使用している（特許文献１〜３）。
【０００３】
上述したような各種バンドでは、腕時計を長時間装着していると、腕の両側部（腕の親指側の側部及び小指側の側部）に赤く跡がつくという問題があった。これは、腕の両側部分をバンドが締め付けることが原因と考えられる。
【０００４】
腕の両側部分をバンドが締め付けるという問題を解消するべく、同一出願人による出願においては、トルマリン石等のアレルギーを生じさせない材料で形成されたコマを糸状の弾性繊維で数珠状に連結した腕時計用バンドを提案している（特許文献４）。
【０００５】
また、全周が伸縮部材で形成された腕時計用バンドにおいても、腕の全周を軽く締め付ける状態となるため、腕の周囲にバンドによる赤い跡がつくことは避けられない点があり、同一出願人は更に改良を加え、コマを糸状の弾性繊維で数珠状に連結して形成された第１及び第２のバンド部と、この第１及び第２のバンド部を連結する非伸縮部材で形成された連結部とで腕時計用バンドを形成し、連結部に設けられた長さ調節手段により全体の長さを調節可能とする腕時計用バンドを提案している（特許文献５）。
【先行技術文献】
【特許文献】
【０００６】
【特許文献１】特許第２８１９３９９号
【特許文献２】実公平７−４１３６７号
【特許文献３】実用新案登録第３０３８２５３号
【特許文献４】特開２００５−４０３７５号
【特許文献５】特開２００６−３４６０８６号
【特許文献６】実用新案登録公報３０８７２２９号
【特許文献７】実用新案登録第３０２８７３８号
【特許文献８】実用新案登録第３０３６６７７号
【特許文献９】実用新案登録第３０８６０３３号
【発明の概要】
【発明が解決しようとする課題】
【０００７】
コマを糸状の弾性繊維で数珠状に連結した腕時計用バンドにおいては、糸状の弾性繊維がコマとの接触（特にコマの貫通孔縁部における接触）により摺れ、或は腕の動きに追随する各コマの動きにより糸状の弾性繊維が屈曲し、長年の使用により糸状の弾性繊維が断線する恐れがあり、解決しようとする課題は、糸状の弾性繊維の断線を解消することができる腕時計用バンドを提供することである。
【課題を解決するための手段】
【０００８】
本発明の第１の腕時計用バンドは、貫通孔が形成された複数のコマと、コイルバネと、このコイルバネに挿通された糸状の弾性繊維とを具備し、前記糸状の弾性繊維が挿通されている前記コイルバネが前記コマの貫通孔に挿通されることにより前記複数のコマが連結されている。
【０００９】
本発明の第２の腕時計用バンドは、第１及び第２のバンド部と、第１及び第２のバンド部を連結する非伸縮部材で形成された連結部を有し、この連結部に設けられた長さ調節手段により腕時計用バンド全体の長さを調節する構成とされ、第１及び第２のバンド部は貫通孔が形成された複数のコマと、コイルバネと、このコイルバネに挿通された糸状の弾性繊維とを具備し、前記糸状の弾性繊維が挿通されている前記コイルバネが前記コマの貫通孔に挿通されることにより前記複数のコマが連結された構成となっている。
【発明の効果】
【００１０】
本発明の腕時計用バンドによると、糸状の弾性繊維が挿通されているコイルバネがコマの貫通孔に挿通されており、糸状の弾性繊維はコイルバネにより被覆されているので、糸状の弾性繊維がコマとの接触により摺れることはない。
【００１１】
また、糸状の弾性繊維は弾性を有するコイルバネにより被覆されているので、コイルバネとの間で摺れることもない。同様に、糸状の弾性繊維は弾性を有するコイルバネにより被覆されているので、各コマが腕の動きに追随して微妙に移動しても、コイルバネが干渉の役割を果たし、糸状の弾性繊維は滑らかに湾曲する。                        
【００１２】
また、コマの貫通孔とコイルバネとの間、及びコイルバネと糸状の弾性繊維との間に隙間があるので、各コマが腕の動きに追随して微妙に移動しても、コマの動きが直接的に糸状の弾性繊維に作用することがない。言い換えれば、コマの動きが糸状の弾性繊維の弾性力に直接的に影響されないで、各コマは腕の動きにさらに微妙に追随できる。従って、コマの貫通孔に糸状の弾性繊維のみが挿通されている腕時計用バンドよりも腕時計装着時のフィット感はさらに増大する。
【００１３】
また、腕時計用バンドを、伸縮部材で形成された第１及び第２のバンド部と、この第１及び第２のバンド部を連結する非伸縮部材で形成された連結部と、この連結部に設けられた長さ調節手段により構成すると、腕時計用バンドの全体の長さを連結部により調節できるので、腕に適した長さの腕時計用バンドとして腕時計を腕に装着できる。しかも腕の両側部に位置づけられる第１及び第２のバンド部は伸縮部材で形成されており、腕の両側部を締め付けることがないので、腕の両側部に赤く跡がつくことがなくなる。
【００１４】
また、コマに貫通孔を２本並行に形成し、この２本の貫通孔に糸状の弾性繊維が挿通されているコイルバネを挿通して複数のコマを連結するならば、腕時計装着時のフィット感はさらに増大する。
【００１５】
また、コマをアレルギーを生じさせない材質であるトルマリン石、貴石、貴金属、象牙より形成するならば、アレルギー疾患のある人には、材質選定による問題がなくなる。また、コマを長方体、球体、円柱体、半球体、半円柱体などの種々の形状に形成することにより腕時計用バンドにファッション性を持たせることができる。
【００１６】
また、連結部を第１のバンド部に連結された第１の連結部と第２のバンド部に連結された第２の連結部とで構成し、第１の連結部の長手方向に沿って形成された複数の孔のいずれかに第２の連結部に設けられ係合ピンを係合させるようにすれば、腕時計を装着しながらの長さ調節が可能となるので、腕時計の装着性は良好となる。
【００１７】
また、第１及び第２のバンド部の内の一方を他方よりも短く形成し、腕時計用バンドを用いて腕時計を腕の甲側に装着した際に、親指側の側部に位置するバンド部を腕の子指側の側部に位置するバンド部よりも短くすると、腕の形状とバンド部の長さとが適合するので、腕時計の装着性は良好となる。尚、腕時計を腕の手の平側に装着する場合であっても、親指側の側部に位置するバンド部を腕の子指側の側部に位置するバンド部よりも短くすると良い。
【図面の簡単な説明】
【００１８】
【図１】本発明の腕時計用バンドを有する腕時計を示す平面図である。
【図２】図１の腕時計の一部を裏側から示した斜視図である。
【図３】図１のIII-III線断面図である。
【図４】第１及び第２のバンド部を構成する貫通孔を有するコマを示した斜視図である。
【図５】本発明の他の腕時計用バンドを有する腕時計を示す斜視図である。
【図６】図５の腕時計用バンドに用いられるコマを示した斜視図であり、（ａ）は略直方体のコマであり、（ｂ）球状体のコマである。
【発明を実施するための形態】
【００１９】
本発明者は、従来技術とその問題点を詳細に検討した結果、以下の経緯により本発明を完成するに至った。
【実施例１】
【００２０】
＜腕時計用バンド１＞
【００２１】
図１は、本発明による腕時計用バンド１を有する腕時計を示す平面図である。腕時計用バンド１は、腕時計２のケース３の一端側に一端部が取り付けられる第１のバンド部５と前記腕時計ケース３の他端側に一端部が取り付けられる第２のバンド部６と第１及び第２のバンド部５、６の他端部同士を連結する連結部とで構成され、本例において、連結部は、第１のバンド部５の他端部に連結された第１の連結部８と前記第２のバンド部６の他端部に連結された第２の連結部９より構成されている。
【００２２】
第１、第２のバンド部５、６は、２つの貫通孔１３１が形成された略長方体形のコマ１３を図１のように配置し、それらの貫通孔１３１にコイルバネ１４を有する糸状の弾性繊維１５（後述）を挿通して、該繊維の端を結合することにより形成される。
【００２３】
即ち、図２及び図３に示すように、糸状の弾性繊維１５はコイルバネ１４に挿通されており、コイルバネ１４に挿通された状態の糸状の弾性繊維１５がコマ１３の貫通孔１３１に挿通されて該弾性繊維１５の端が結合されている。
【００２４】
本例のコイルバネ１４としては押しバネ（圧縮コイルバネ）が用いられており、
コマ１３の貫通孔１３１に挿通されている糸状の弾性繊維１５の全領域を被覆している。
【００２５】
本例では、第1のバンド部５は、４個のコマ１３をコイルバネ１４で被覆された弾性繊維１５で連結して構成されており、４個並べられたコマ１３の一端側には腕時計ケース３の一端側３aが配置され、他端側には第１の連結部８が配置され、第１の連結部８の基部８a及びコマ１３の貫通孔１３１に挿通された弾性繊維１５が腕時計ケース３の一端側３aの孔３１１、３１２に通されて開口部３１５で結ぶなどして、前記４個のコマ１３と腕時計ケース３及び連結部８を一体化している（図２）。
【００２６】
また、第２のバンド部６は、５個のコマ１３をコイルバネ１４で被覆された弾性繊維１５で連結して構成されており、５個並べられたコマ１３の一端側には腕時計ケース３の他端側３bが配置され、他端側には第２の連結部９が配置され、第２の連結部９の基部９a及びコマ１３の貫通孔１３１に挿通された弾性繊維１５が腕時計ケース３の他端側３bの孔３１１、３１２通されて開口部３１５で結ぶなどして、前記５個のコマ１３と腕時計ケース３及び第２の連結部９を一体化している。
【００２７】
本例の腕時計用バンド１では、腕時計を腕の甲側に装着した際に、第1のバンド部５が腕の親指側の側部に位置し、第２のバンド部６が腕の子指側の側部に位置することを想定しており、第1のバンド部５を４個のコマ１３で構成し、第２のバンド部６を、５個のコマ１３で構成している。このように親指側の側部に位置するバンド部を腕の子指側の側部に位置するバンド部よりも短くすると、腕の形状とバンド部の長さとが適合するので、腕時計の装着性は良好となる。
【００２８】
前記糸状の弾性繊維１５は、ゴムのように弾力性を持っているため、腕時計を装着している腕を動かしても、腕の筋肉の微妙な変化に容易に対応できるようになっている。
【００２９】
＜トルマリン石＞
【００３０】
略長方体形のコマ１３は、トルマリン石で作る。その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである（特許文献６）。（特許文献６）の他にも、トルマリンの効能並びにその応用については、（特許文献７〜９）に述べられている。
【００３１】
＜糸状の弾性繊維１５＞
【００３２】
糸状の弾性繊維１５は  ポリウレタンでできており、伸縮性、耐久性、均一性などに優れた特徴を持っている。本発明では、既述したように、略長方体形のコマ１３に１本の糸状の弾性繊維１５を通して第1、第２のバンド部５、６を完成したものである。
【００３３】
＜コマ１３＞
【００３４】
図４は、第1及び第２のバンド部５、６を構成するコマ１３を示したものである。
略長方体形のコマ１３には２つの貫通孔１３１が形成されており、この孔１３１に前記糸状の弾性繊維１５を挿通する。
【００３５】
＜第１の連結部８、第２の連結部９＞
【００３６】
図１に示すように、第１の連結部８は皮革製または合成樹脂製の材料で帯状に形成されており、貫通孔が形成された基部８a側に前記弾性繊維１５が挿通されて第1のバンド部５の他端部と連結されている。また、第１の連結部８には複数の孔８１が長手方向に沿って形成されている。
【００３７】
第２の連結部９は皮革製または合成樹脂製の材料で帯状に形成された帯状部９１の基部９a側に貫通孔が形成されており、この貫通孔に前記弾性繊維１５が挿通されて第２のバンド部６の他端部と連結されている。また、帯状部９１の先端部９bには環状の支持枠９２の一辺９２１が取り付けられており、この一辺９２１に係合ピン９４の基部が回動自在に保持されている。また、帯状部９１の中途には前記第１の連結部８を挿入するためのベルト９６が設けられている。
【００３８】
第１の連結部８及び第２の連結部９は、第１の連結部８を環状の支持枠９２に挿通し、所望の孔８１に係合ピン９４を係合させることにより連結される。複数の孔８１の内、係合ピン９４を係合させる孔８１を選ぶことにより、腕時計用バンド１の長さを調節できる。
【実施例２】
【００３９】
実施例１では、連結部は、第１のバンド部５の他端部に連結された第１の連結部８と第２のバンド部６の他端部に連結された第２の連結部９より構成され、第１の連結部８と第２の連結部９とを連結する例を説明したが、長さ調節が可能な連結部であるならば、第１の連結部と第２の連結部とが一体化されているタイプのものであっても、本願発明に用いることができる。
【実施例３】
【００４０】
上記の実施例１及び２の腕時計用バンド１においては、第１及び第２のバンド部５、６と、この第１及び第２のバンド部５、６を連結する連結部８、９とでバンド１が構成され、第１及び第２のバンド部５、６の夫々を、コイルバネ１４で被覆された糸状の弾性繊維１５をコマ１３の貫通孔１３１に挿通し、コマ１３を連結して形成したが、図５に示す腕時計用バンド１Ａのように、腕時計用バンドを一本のバンドで形成し、腕時計用バンド１Ａの一端部を腕時計ケース３の一端側に取り付け、腕時計用バンド１Ａの他端部を接腕時計ケース３の他端側に取り付けることもできる。
【００４１】
図５に示す腕時計用バンド１Ａは、図６(a)に示すように、略長方体形のコマ１３Ａには２本の貫通孔１３１を形成し、また、図６(b)に示すように、球体状のコマ１３Ｂには１本の貫通孔１３１を形成し、それらのコマ１３Ａとコマ１３Ｂを図５に示すように配置し、貫通孔１３１にコイルバネ１４で被覆された糸状の弾性繊維１５を挿通して、該繊維の端を結ぶことにより一本の腕時計用バンド１Ａを形成している。
その余の事項は、実施例１と同じ。
【実施例４】
【００４２】
上記各実施例では、略長方体、球体状などのコマ１３、１３Ａ、１３Ｂをトルマリン石で作成する例を示した。しかし、固体であれば、どのような材料でも加工可能であり、腕時計バンドとして利用できる。
【実施例５】
【００４３】
上記各実施例では、略長方体のコマ１３、１３Ａ又は球体状のコマ１３Ｂでバンド状に形成した例について示したが、その他の形状（例、半円柱体、円柱体、半球体など）のものでもバンド状にして行うことができ、腕時計バンドとして利用できる。
【産業上の利用可能性】
【００４４】
腕時計装着時のフィット感に優れ、しかも耐久性に優れた腕時計用バンドを提供できる。
【符号の説明】
【００４５】
１、１Ａ  腕時計用バンド
３  腕時計ケース
５  第１のバンド部
６  第２のバンド部
８  第１の連結部
８１  孔
９  第２の連結部
９４  係合ピン
１３、１３Ａ、１３Ｂ  コマ
１３１  貫通孔
１４  コイルバネ
１５  糸状の弾性繊維
【図１】
2012120682.tif 000003
【図２】
2012120682.tif 000004
【図３】
2012120682.tif 000005
【図４】
2012120682.tif 000006
【図５】
2012120682.tif 000007
【図６】
2012120682.tif 000008